(57)【特許請求の範囲】
【請求項１】
ガスバルブ及び液体バルブを備えた口金部を上部に備えた容器に装着して容器内の液体を取り出すディスペンスヘッドであって、
該ディスペンスヘッドは、前記容器口部に結合するヘッド本体と、該ヘッド本体を支持し、前記容器の上部周縁に配置される枠体とを備え、
前記枠体は、他の容器を上部に配置する場合の支持部となる環状上フランジと、前記ヘッド本体を支持する環状下フランジが内部に設けられた短円筒形部材からなり、
前記ヘッド本体は、前記容器内にガスを供給するための第１ガス注入口と、前記容器の液体バルブを駆動するための駆動部材を作動させる駆動ガスを導入する第２ガス注入口と、前記容器内の液体を外部に取り出すための液体通路を有し、
前記ヘッド本体の第１ガス注入口と前記第２ガス注入口にガスを供給するガス導入部と、前記容器内の液体を前記液体通路を通して外部に取り出す液体取出口を前記枠体の側部に設けたことを特徴とするディスペンスヘッド。
【請求項２】
前記駆動部材は前記ヘッド本体のシリンダー室内に配置されたピストン部材であり、前記ヘッド本体の液体通路は前記ピストン部材内部に形成された請求項１に記載のディスペンスヘッド。
【請求項３】
前記枠体は円筒状部材であり、前記ヘッド本体は前記枠体の中心部に支持され、前記ヘッド本体の頂部は前記枠体の上部縁部より下方に位置している請求項１に記載のディスペンスヘッド。
【請求項４】
前記第２ガス注入口に供給する駆動ガスの供給の制御を行う切換弁の操作部を前記枠体側部に設けた請求項１に記載のディスペンスヘッド。
【発明の詳細な説明】
【０００１】
【発明の属する技術分野】
本発明は、ディスペンスヘッドに係り、例えば、ビールなどの炭酸ガス飲料用容器に装着するディスペンスヘッド、特に、容器に装着したとき積層が可能で、しかも上部空間を利用することを可能とするディスペンスヘッドに関する。
【０００２】
【従来の技術】
ビールなどの炭酸ガス含有飲料は、炭酸ガスによって所定圧に加圧された容器に貯蔵され、容器口に装着されたディスペンスヘッドを介して取り出すようにしている。図１は、ビールを充填する容器の一例を示し、容器１００は、容器本体１０１の上部に口金部１０２が、また、容器本体１０１の上部を囲む円筒部１０１ａ、容器本体１０１の下部を囲む円筒部１０１ｂを有している。口金部１０２は内部にビールを導入、排出するためのバルブと、内部に加圧炭酸ガスを封入するためのバルブを有するバルブ機構を備えている。
【０００３】
図２は、そのバルブ機構をしめし、口金１０２にはフィッティング１０３がねじ込みにより固定されており、口金１０２とフィッティング１０３との接合部はシールリング１０４によりシールされている。フィッティング１０３は口金１０２の内部にねじ込まれるブッシュ１０５と、先端部が容器本体１０１の底部近傍まで延びるダウンチューブ１０６を有し、ブッシュ１０５とダウンチューブ１０６との間にガス流路室１０７が形成されている。
【０００４】
ダウンチューブ１０６はコイルバネ１０８により上方に付勢されており、その上端に設けられたシール部材がブッシュ１０５の内壁に当接してガスバルブを構成し、ダウンチューブ１０６が下方に押し下げられると容器内外が連通するようになっている。また、ダウンチューブ１０６の上端には圧縮コイルバネ１１０により上方に付勢されるビールバルブ１１１が設けられており、このビールバルブ１１１が押し下げられると、ダウンチューブの上端と下端が連通し、ビールの容器内外への注入、排出を行うことができる構造となっている。
【０００５】
このようなバルブ機構を備える容器１００を使用してビールの注入、排出を行う場合には、この口金部１０２にバルブ機構を操作するディスペンスヘッドを装着して行う。
【０００６】
図３は容器１００の口金部１０２にディスペンスヘッド１２０が装着された状態を示しす。ディスペンスヘッド１２０は固定金具１２１により口金部１０２に固定され、炭酸ガス導入通路１２２、ビール通路１２３、ビールの注入、排出操作部１２４を備えている。
【０００７】
【発明が解決しようとする課題】
図３に示すように、容器１００にディスペンスヘッド１２０を装着すると、ディスペンスヘッド１２０は容器１００の上部より上に突出した状態となる。したがって、ディスペンスヘッド１２０を装着した場合はその分だけ高さが高くなり、設置した場合のスペースを占めることとなる。また、複数の容器を積み重ねる場合、ディスペンスヘッドを装着した容器の上部には他の容器は配置できないという問題がある。
【０００８】
本発明は、上記課題を解決るすためになされたもので、容器にディスペンスヘッドを装着した場合であっても、容器を積み重ねて載置することができ、容器上部の占有するスペースを狭くすることを可能にするディスペンスヘッドを提供することとを目的としてなされたものである。
【０００９】
【課題を解決するための手段】
上記目的は本発明による以下の手段により解決される。
【００１０】
請求項１の発明は、ガスバルブ及び液体バルブを備えた口金部を上部に備えた容器に装着して容器内の液体を取り出すディスペンスヘッドであって、
該ディスペンスヘッドは、前記容器口部に結合するヘッド本体と、該ヘッド本体を支持し、前記容器の上部周縁に配置される枠体とを備え、
前記ヘッド本体は、前記容器内にガスを供給するための第１ガス注入口と、前記容器の液体バルブを駆動するための駆動部材を作動させるガスを導入する第２ガス注入口と、前記容器内の液体を外部に取り出すための液体通路を有し、
前記ヘッド本体の第１ガス注入口及び第２ガス注入口にガスを供給するガス導入部及び前記容器内の液体を前記液体通路を通して外部に取り出す液体取出口を前記枠体の側部に設けたことを特徴とするディスペンスヘッドである。
【００１１】
請求項２の発明は、請求項１に記載のディスペンスヘッドにおいて、前記駆動部材は前記ヘッド本体のシリンダー室内に配置されたピストン部材であり、前記ヘッド本体の液体通路は前記ピストン部材内部に形成されたディスペンスヘッドである。
【００１２】
請求項３の発明は、請求項１又は請求項２に記載のディスペンスヘッドにおいて、前記枠体は円筒状部材であり、前記ヘッド本体は前記枠体の中心部に支持され、前記ヘッド本体の頂部は前記枠体の上部縁部より下方に位置しているディスペンスヘッドである。
【００１３】
請求項４の発明は、請求項１に記載のディスペンスヘッドにおいて、前記第２ガス注入口に供給する駆動ガスの供給の制御を行う切換弁の操作部を前記枠体側部に設けたディスペンスヘッドである。
【００１４】
請求項１記載の発明のディスペンスヘッドは、枠体を容器上部に配置し、ディスペンスヘッドのヘッド本体を容器の口金部と結合することにより使用する。ヘッド本体の第１ガス注入口及び第２ガス注入口には枠体の外側より枠体に設けられたガス導入部よりガスが供給される。第１ガス注入口に供給されるガスは容器内部に導入され容器内部を加圧するために使用される。第２ガス注入口に供給される駆動ガスはヘッド本体の駆動部材を駆動し、これにより容器の口金部内部の液体バルブ駆動する。ガスによって加圧された容器内部の液体はヘッド本体に設けられた液体通路を経て枠体の側部に設けられて取り出し口より取り出される。
【００１５】
本発明のディスペンスヘッドは、容器の側方から容器内にガスを導入するとともに、側方から内容物である液体を取り出すようにしているため、これが取り付けられる容器の上部のスペースを有効に利用することが可能となる。
【００１６】
請求項２記載の発明においては、ヘッド本体のシリンダー室内に配置されたピストン部材が容器の液体バルブを駆動するための駆動部材として機能し、駆動ガスによって駆動される。また、前記ヘッド本体の液体通路は前記ピストン部材内部に液体通路を形成することによりヘッド本体をコンパクトな形状とすることが可能となる。
【００１７】
請求項３の発明においては、ディスペンスヘッドのヘッド本体は枠体の上部縁部より上部に突出することがない。これにより、ディスペンスヘッドの枠体上にさらに容器を載置することが可能となる。
【００１８】
請求項４の発明においては、第２ガス注入口に供給する駆動ガスの供給の制御を行う切換弁の操作部を前記枠体側部に設けているため、容器上に他の容器を載置した場合であっても容器内の液体の取り出し操作を行うことが可能となる。
【００１９】
【発明の実施の形態】
以下には本発明をより詳細に説明するために実施例を示す。
【００２０】
図４及び図５は本発明の実施例に係るディスペンスヘッドをビール用の樽容器に装着するためのディスペンスヘッド１Ａを示す。図４はディスペンスヘッド１Ａの平面図、図５は、図４のＡ−Ａ断面図である。
【００２１】
ディスペンスヘッド１Ａは、枠体となるスタッキングプレート２とこれに取り付けられたディスペンスヘッド機構３とからなる。スタッキングプレート２は短円筒部材２１からなり、内部に上下の環状フランジ２２、２３が形成されている。下フランジ２３にはディスペンスヘッド機構３のヘッド本体３１を支持するためのヘッド支持部材２４が取り付けられている。ヘッド支持部材２４は中央にリング部２４ａとこれを支持する３本のアーム２４ｂからなる（後述の図７参照）。なお、上部フランジ２２は、ディスペンスヘッド１が容器の上部に配置されたとき、さらにその上に他の容器を配置する場合の容器の支持部として機能する。
【００２２】
ディスペンスヘッド機構３は、ヘッド本体３１、ガス源である炭酸ガスボンベ（図示せず）からヘッド本体３１を通して容器（図示せず）１００内部に炭酸ガスを注入するための第１ガス供給路３２、ヘッド本体３１にヘッドのピストン３１３を駆動するための駆動用ガスを供給する第２ガス供給路３３、ガス源に接続され、第１ガス供給路３２及び第２ガス供給路３３に炭酸ガスを供給あるいは遮断するための切換弁３４、ヘッド本体３１に接続されるビール排出路３６を有している。なお、切換弁３４と第１ガス供給路３２及び第２ガス供給路３３にはガス管３５と分岐接続具３５ａを介して接続されている。また。枠体２には炭酸ガス源（図示せず）に接続されるガス管路が接続されるガス導入部となるガス導入口２５が設けられおり、ガス導入口２５から切換弁３４に通路３７により接続されている。
【００２３】
ヘッド本体３１は、上部のシリンダー室３１１と下部の固定金具３１２とピストン部材３１３を有する。ヘッド３１は、取付金具３１２の内部に連通通路を持つ第１のガス注入口３１４を有し、第１ガス供給路３２に接続される。また、ヘッド本体３１のシリンダー室３１１の上部には第２のガス注入口３１５が設けられ、これに第２のガス供給路３３が接続される。
【００２４】
ピストン部材３１３は、第２のガス供給路３３からシリンダー室３１１に供給されるガスにより上下に移動するように支持される。このピストン部材３１３は容器１００のビールバルブ１１１を駆動する駆動部材となる。また、ピストン部材３１３の内部には、鼻端部３１３ｂの開口より上部のビール排出ノズル３１３ｃに連通する通路３１３ａが形成されている。そして、ビール排出ノズル３１３ｃにはビール排出路３６が接続され、ビール排出路３６の他端はスタッキングプレートの２の短円筒部材合２１に支持され、その端部の開口部がビール取出口３６ａとなっている。
【００２５】
切換弁３４はスタッキングプレート２の上下のフランジ２２、２３の間に支持され、操作ハンドル３４ｄによってガスの供給、遮断の切換制御を行うようにしている。
【００２６】
図６は切換弁３４の詳細を示す。切換弁３４は、図６（ａ）に示すように、スタッキングプレート２に設けられているガス源連結されるガス導入部２５に接続される通路３７と接続される接続部３４ａと、ヘッド本体３１に接続されるガス供給路３５に接続される接続部３４ｂと、容器外へ接続する接続部３４ｃを有する三方切換弁である。そして、図６（ｂ）に示すように、通路を切り換える操作を行うための操作部となるハンドル３４ｄを備え、ハンドル３４ｄはスタッキングプレート２の外部に突出して切換操作ができるようになっている。ハンドル３４ｄをＯＮにすると、ガス源と接続する接続部３４ａは接続部３４ｂと連通状態となり、炭酸ガスは管路３５、分岐接続具３５ａを経て第１ガス供給路３２、第２ガス供給路３３に供給され、ヘッド本体３１の第１ガス注入口３１４及びシリンダー室上部に形成された第２ガス注入口３１５にガスが供給される。また、ＯＦＦにすると、ガス源とヘッド本体３１とは遮断され、ヘッド本体３１と接続部３４ｃとが連通し、シリンダ室３１１内のガスを第２ガス供給路３３を通して外部に排出する。これによって、容器１００のビールバルブ１１１が圧縮コイルバネ１１０によって押し上げられビールバルブ１１１が閉となる。そして、それまでビールバルブ１１１を押し下げていたピストン部材３１３もビールバルブ１１１の押し上げに伴って上昇する。
【００２７】
図７は、ヘッド本体３１のスタッキングプレート２への取り付け状態を示す。ヘッド本体３１は、前述のように、図７（ｂ）に示すヘッド支持部材２４によってスタッキングプレート２に取り付けられている。ヘッド支持部材２４のアーム２４ｂは、スタッキングプレート２の上下のフランジ２２、２３の間に取付ピン２６により支持される。そして、アーム２４ｂの取付部と上フランジ２２との間にバネ２７を介在させており、スタッキングプレート２に加わる衝撃が直接ヘッド本体３１に伝達されないようにしている。図示のように、ヘッド本体３１は支持部材２４によりスタッキングプレート２の中心部に位置し、その頂部はスタッキングプレート２の円筒部材２１の上部縁部２１ａより下方に位置し、上部に突出しないようにされている。
【００２８】
次に、図８及び図９を参照して、本発明によるディスペンスヘッド１の使用方法を説明する。ここでは、ディスペンスヘッド１を図１、図２に示したビール用の容器１００に適用した例について述べる。
【００２９】
ディスペンスヘッド１Ａの容器１００への装着は、ディスペンスヘッド１のスタッキングプレート２の短円筒部材２１を容器１００の上部の円筒部１０１ａに嵌め込むようにして載置する。このとき、ヘッド機構３のヘッド本体３１のヘッド固定金具３１２は、図示のごとく、容器１００の口金部１０２内に挿入された状態となる。このとき、金具１０２とは螺合手段（図示せず）を用いて液漏れ、ガス漏れが発生しないよう密着、接合される。
【００３０】
この状態において、先ず、切換弁３４のハンドル３４ｄを操作してＯＮとして炭酸ガス源（図示せず）より、ガス導入部２５、通路３７、切換弁３４及び第１ガス供給路３２、第２ガス供給路３３を通して容器１００の第１ガス注入口３１４、第２ガス注入口３１５に炭酸ガスを供給する。
【００３１】
第１ガス注入口３１４に供給されたガスは、容器１００の口金１０２のガスバルブを通して容器１００内に導入され、これにより容器１００内は加圧される。
【００３２】
また、第２のガス注入口３１５に供給されたガスは、ヘッド本体３１のシリンダー室３１１の上部へガスバルブ及びビールバルブの駆動ガスとして導入される。シリンダー室３１１上部に供給されたガスによりピストン３１３が下方に押し下げられ、その結果、ピストン３１３の下端の鼻端部３１３ｂが容器１００のガスバルブ及びビールバルブ１１１に当接する。
【００３３】
図９は、鼻端部３１３ｂが容器１００のビールバルブ１１１に当接し、さらに下方にビールバルブ１１１が押し下げられた状態を示す。これにより、容器１００の内部に炭酸ガスが、また、容器１００とビール排出路３４とが連通した状態となる。
【００３４】
以上のように、切換弁３４の操作により、ヘッド本体３１のピストン３１３を駆動して容器１００のガスバルブ及びビールバルブ１１１を開とすると、容器１００内のガスの圧力によりビールはビールバルブ１１１、ピストン３１の通路３１３ａ、ビール排出ノズル３１３ｃ、ビール排出通路３６を経てビール取り出し口３６ａよりビールが取り出される。
【００３５】
このように、本実施例のディスペンスヘッド１Ａによれば、ディスペンスヘッド１の短円筒部２１の外側より容器１００内に炭酸ガスを導入し、また、短円筒部２１の側部のビール取り出し口よりビールを取り出すようにしているため、容器１００の口金部１０２に装着されるヘッド３１は高さを低く抑えることができ、また、ビールの取り出し操作はスタッキングプレート２の側部のハンドルの操作で行うことができる。したがって、ディスペンスヘッド１の上部の空間は、例えば、他の容器が載置されてもビールの取り出し操作に何ら支障を来たすことがない。
【００３６】
図１０、図１１は、本発明の第２の実施例のディスペンスヘッド１Ｂを示す。ディスペンスヘッド１Ｂは、ディスペンスヘッド１Ａと基本的構成は変わるところはない。したがって、構造上同一の部分については、ディスペンスヘッド１Ａと同じ符号を付して説明する。ディスペンスヘッド１Ｂのディスペンスヘッド１Ａと異なる部分は、ヘッド本体３１に供給するガスの経路の部分である。ディスペンスヘッド１Ｂにおいては、第１のガス供給路３２と第２のガス供給路３３にはそれぞれ別系統によりガスを供給するようにしている。スタッキングプレート２の短円筒部材２１はガス供給口２６を有し、そのガス供給口２６には第１ガス供給路３２が接続される。また、切換弁３４に連通するガス導入口２５及び管路３５は第２ガス供給路３３に対するガスの供給の系統のみに使用するようにしている。したがって、切換弁３４の接続部３４ｂには第２の管路３３が接続され、切換弁３４の操作ハンドル３４ｄのＯＮ，ＯＦＦ操作により、ヘッド本体３１のピストン部材３１３を駆動し、ビールの取り出しを行うようにしている。
【００３７】
図１２は本発明の第３の実施例に係るディスペンスヘッド１Ｃを示す。
【００３８】
ディスペンスヘッド１Ｃは、図１０、図１１に示したディスペンスヘッド１Ｂと同様のものであるが、スタッキングプレート２はガス源からガスをガスを導入するガス導入口２５のみを有し、スタッキングプレート２の内側において第１ガス注入口３１４に接続する第１ガス供給路３２と切換弁３４と接続する管路３５とを分岐させている。したがって、切換弁３４のＯＮ，ＯＦＦ操作により、スタッキングプレート１Ｂと同様に、ガスバルブ及びビールバルブを駆動するガスのみの制御がおこなわれる。
【００３９】
以上の構造を有するディスペンスヘッド１Ａ、１Ｂ及び１Ｃは、種々の形態で使用することができる。図１３は、本発明によるディスペンスヘッド１Ａ（１Ｂ）をビール容器１００に適用する場合の異なる使用形態を示す概念図である。
【００４０】
図１３（ａ）は、これまでに説明してきたディスペンスヘッド１の炭酸ガス及びビールの流れを説明する概念図である。即ち、ディスペンスヘッド１Ａは第１ガス供給路３２よりビール容器１００内に炭酸ガスを供給し、第２ガス供給路３３を通してビール弁を駆動する。そしてビールは容器１００内のダウンチューブ１０６よりビール排出路３６を通じて取り出される。
【００４１】
図１３（ｂ）は、2個の容器１００を重ねて使用する場合を示す。下側の容器１００に本発明によるディスペンスヘッド１Ａを装着し、その上にさらに容器１００を載置して使用する場合を示している。この例では上の容器１００にも本発明のディスペンスヘッドを取り付けてビールの取り出しを行うようにしている。この場合、上側に取り付けるディスペンスヘッドは第２の実施例で示したディスペンスヘッド１Ｂを使用する。下側の容器１００より取り出されてビールは、上側容器１００に取り付けられているディスペンスヘッド１Ｂの第１のガス供給路３２に接続される。そして、上側容器のディスペンスヘッド１の第２のガス供給路３３に炭酸ガスを供給し、ビール弁を駆動するようにする。上側容器１００内のビールは下側容器１００から取り出されて注入されたビールにより押し出されてビール排出通路３６より取り出される。
【００４２】
図１３（ｃ）は、上側の容器１００に図３に示した従来ディスペンスヘッド１２０を取り付けたものを使用した例を示している。この場合、下側容器１００から取り出されたビールはディスペンスヘッド１２０の炭酸ガス導入通路１２２より注入するようにする。そして、上側容器からはビール通路１２３を通して取り出される。なお、図１３（ｂ）、（ｃ）の例はいずれも、、上下の容器を連結するものであるから、各容器は同一の内容物を収容するものであることが前提ととなる。
【００４３】
図１３（ｄ）は、ディスペンスヘッド１を取り付けた容器１００を単に二つ重ねて載置し、それぞれ独立に炭酸ガスを供給するようにしたもので、この例では、異種の内容物を収容する容器を重ねて使用するこも可能となる。
【００４４】
以上のように、本発明によるディスペンスヘッドはガス供給用の操作部やビールの取り出し口を容器の横方向に配置しているため、容器を積み重ねて使用することが可能となり、また、ディスペンスヘッドを配置した場合の高さを低く抑えることができる。
【００４５】
図１４（ａ）は、本発明によるディスペンスヘッド１Ａ（１Ｂ、１Ｃ）を2個の１０Ｌのビール容器に取り付けた場合の例を示す。ディスペンスヘッド１は略５０ｍｍ程度の高さとすることが可能で、高さ２９５ｍｍのビール容器を使用すると、ディスペンスヘッドを含め全体で６９０ｍｍの高さとなる。
【００４６】
一方、図１４（ｂ）に示すように、例えば、１０Ｌの容器に従来のディスペンスヘッドを取り付けた容器をスタッキングプレートを取り付けて積み重ねるとすると、ディスペンスヘッド本他の２９５ｍｍと約１３０ｍｍの高さのスタッキングプレートが必要となり、全体として約８４５ｍｍの高さが必要となる。
【００４７】
このように、本発明によるディスペンスヘッドはこれを取り付けて使用する場合に従来のディスペンスヘッドを取り付けたものに比べて１８５ｍｍの差が生じ、本発明のディスペンスヘッドにより高さを低くすることが可能となる。
【００４８】
以上本発明の好ましい実施例について詳述したが、本発明は係る特定の実施形態に限定されるものではない。また、上述の実施例では本発明のディスペンスヘッドをビール容器に適用した例について述べたが、本発明のディスペンスヘッドはビール容器に限らず、他の導入するガス圧を利用して液体を取り出すたようにした液体収容器であれば他の種類の容器に適用することができることは明らかである。
【００４９】
【発明の効果】
以上詳述したところから明らかなように、本発明によれば、ディスペンスヘッドは、容器の側方から容器内にガスを導入するとともに、側方から内容物である液体を取り出すようにしているため、これが取り付けられる容器の上部のスペースを有効に利用することが可能となる。
【００５０】
また、容器の液体バルブを駆動するための操作部材を駆動ガスにより駆動するようにしているため、これを作動させるための操作部をヘッド本体から離れた位置のディスペンスヘッドの横側に配置することが可能となり、容器上部のスペース利用に自由度を与えることができる。
【００５１】
また、ヘッド本体の液体通路は前記ピストン部材内部に液体通路を形成することによりヘッド本体をコンパクトな形状とすることが可能となる。
【００５２】
また、ディスペンスヘッドのヘッド本体は枠体の上部縁部より上部に突出することがない。これにより、ディスペンスヘッドの枠体上にさらに容器を載置することが可能となる。
【００５３】
また、第２ガス注入口に供給する駆動ガスの供給の制御を行う切換弁の操作部を前記枠体側部に設けているため、容器上に他の容器を載置した場合であっても容器内の液体の取り出し操作を行うことが可能となる。
【図面の簡単な説明】
【図１】ビール容器の外観図を示す図である。
【図２】ビール容器の口金部の詳細を示す図である。
【図３】従来のディスペンスヘッドを示す図である。
【図４】本発明によるディスペンスヘッドの平面図を示す図である。
【図５】図４のＡ−Ａ断面図を示す図である。
【図６】切換弁の詳細を示す図である。
【図７】ヘッド本体の支持部を示す図である。
【図８】ディスペンスヘッドの容器装着時の状態を説明する図である
【図９】ディスペンスヘッドの液体取り出し操作時の状態を説明する図である。
【図１０】本発明による第２の実施例のディスペンスヘッドの平面図である。
【図１１】図１０のＡ−Ａ断面図を示す図である。
【図１２】本発明の第３の実施例のディスペンスヘッドを示す図である。
【図１３】本発明によるディスペンスヘッドの使用形態を説明する図である。
【図１４】本発明によるディスペンスヘッドを使用した場合の高さを説明する図である。
【符号の説明】
１  ディスペンスヘッド
２  スタッキングプレート
２１  短円筒部材
２４  ヘッド支持部材
２５、２６  ガス導入部
３  ディスペンスヘッド機構
３１  ヘッド本体
３１１  シリンダー室
３１２  固定金具
３１３  ピストン
３１４  第１ガス注入口
３１５  第２ガス注入口
３２  第１ガス供給路
３３  第２ガス供給路
３４  切換弁
３６  ビール排出路
３６ａ  液体取出口
【図１】
0004357723.tif 000002
【図２】
0004357723.tif 000003
【図３】
0004357723.tif 000004
【図４】
0004357723.tif 000005
【図５】
0004357723.tif 000006
【図６】
0004357723.tif 000007
【図７】
0004357723.tif 000008
【図８】
0004357723.tif 000009
【図９】
0004357723.tif 000010
【図１０】
0004357723.tif 000011
【図１１】
0004357723.tif 000012
【図１２】
0004357723.tif 000013
【図１３】
0004357723.tif 000014
【図１４】
0004357723.tif 000015